(57)【要約】【課題】エレベータに結露が発生することを抑制することができるエレベータシステムを得る。【解決手段】エレベータ１と、天気情報サービスセンタ６からエレベータ１が設置されている地域における温度情報および相対湿度情報を取得し、取得した温度情報および相対湿度情報を用いて露点温度情報を算出し、算出した露点温度情報と温度情報とを用いて、エレベータ１の結露防止運転の要否を判定する結露防止運転要否判定装置３とを備え、エレベータ１は、結露防止運転要否判定装置３の判定結果に基づいて、結露防止運転を行う。【選択図】図１
2014227235.tif 000002
【特許請求の範囲】
【請求項１】
エレベータと、
外部から前記エレベータが設置されている地域における温度情報および相対湿度情報を取得し、取得した前記温度情報および前記相対湿度情報を用いて露点温度情報を算出し、算出した前記露点温度情報と前記温度情報とを用いて、前記エレベータの結露防止運転の要否を判定する結露防止運転要否判定装置と
を備え、
前記エレベータは、前記結露防止運転要否判定装置の判定結果に基づいて、結露防止運転を行うことを特徴とするエレベータシステム。
【請求項２】
複数の前記エレベータを備えたエレベータシステムであって、
それぞれの前記エレベータが設置されている地域を特定する地域特定情報とそれぞれの前記エレベータを特定するエレベータ特定情報とを対応させて記憶する地域特定情報エレベータ特定情報記憶装置をさらに備え、
前記結露防止運転要否判定装置は、前記地域特定情報によって特定される地域ごとに、前記温度情報および前記相対湿度情報を取得して前記エレベータの結露防止運転の要否を判定し、
それぞれの前記エレベータは、その前記エレベータを特定する前記エレベータ特定情報に対応する前記地域特定情報によって特定される地域についての前記結露防止運転要否判定装置の判定結果に基づいて、結露防止運転を行うことを特徴とする請求項１に記載のエレベータシステム。
【請求項３】
結露防止運転時間を示す結露防止運転時間情報と前記結露防止運転時間だけ前記エレベータが結露防止運転を行うことによる前記エレベータの上昇温度を示す上昇温度情報とを対応させて記憶する結露防止運転時間情報上昇温度情報記憶装置をさらに備え、
前記結露防止運転要否判定装置は、前記エレベータの結露防止運転が必要であると判定する場合に、前記露点温度情報と前記温度情報とを用いて、必要な前記エレベータの上昇温度を示す必要上昇温度情報を算出し、
前記エレベータは、前記結露防止運転要否判定装置によって算出された前記必要上昇温度情報に対応する前記結露防止運転時間情報が示す結露防止運転時間だけ結露防止運転を行うことを特徴とする請求項１または請求項２に記載のエレベータシステム。
【請求項４】
前記結露防止運転時間情報上昇温度情報記憶装置は、複数の前記温度情報のそれぞれについて、前記結露防止運転時間情報と前記上昇温度情報とを対応させて記憶することを特徴とする請求項３に記載のエレベータシステム。
【請求項５】
前記エレベータは、巻上機を有しており、
前記エレベータの結露防止運転は、前記巻上機の低速運転によって行われることを特徴とする請求項１から請求項４までの何れか一項に記載のエレベータシステム。
【請求項６】
エレベータと、前記エレベータの結露防止運転の要否を判定する結露防止運転要否判定装置とを備えたエレベータシステムを用いたエレベータ結露防止方法であって、
前記結露防止運転要否判定装置が、外部から前記エレベータが設置されている地域における温度情報および相対湿度情報を取得し、取得した前記温度情報および前記相対湿度情報を用いて露点温度情報を算出し、算出した前記露点温度情報と前記温度情報とを用いて、前記エレベータの結露防止運転の要否を判定する結露防止運転要否判定工程と、
前記結露防止運転要否判定工程で前記エレベータの結露防止運転が必要であると前記結露防止運転要否判定装置が判定する場合に、前記エレベータが結露防止運転を行う結露防止運転工程と
を備えたことを特徴とするエレベータ結露防止方法。
【発明の詳細な説明】
【技術分野】
【０００１】
この発明は、エレベータを備えたエレベータシステムおよびエレベータシステムを用いたエレベータ結露防止方法に関する。
【背景技術】
【０００２】
従来、巻上機シーブと、巻上機シーブに巻き掛けられたメインロープと、メインロープの移動によって昇降するかごと、巻上機シーブを制動する巻上機ブレーキとを備えたエレベータが知られている（例えば、特許文献１参照）。
【先行技術文献】
【特許文献】
【０００３】
【特許文献１】特開２００３−２１２４５０号公報
【発明の概要】
【発明が解決しようとする課題】
【０００４】
しかしながら、例えば、巻上機ブレーキに結露が発生した場合、巻上機ブレーキのブレーキ性能が低下してしまうおそれがあるという問題点があった。
【０００５】
この発明は、エレベータに結露が発生することを抑制することができるエレベータシステムおよびエレベータ結露防止方法を提供するものである。
【課題を解決するための手段】
【０００６】
この発明に係るエレベータシステムは、エレベータと、外部からエレベータが設置されている地域における温度情報および相対湿度情報を取得し、取得した温度情報および相対湿度情報を用いて露点温度情報を算出し、算出した露点温度情報と温度情報とを用いて、エレベータの結露防止運転の要否を判定する結露防止運転要否判定装置とを備え、エレベータは、結露防止運転要否判定装置の判定結果に基づいて、結露防止運転を行う。
【０００７】
この発明に係るエレベータ結露防止方法は、エレベータと、エレベータの結露防止運転の要否を判定する結露防止運転要否判定装置とを備えたエレベータシステムを用いたエレベータ結露防止方法であって、結露防止運転要否判定装置が、外部からエレベータが設置されている地域における温度情報および相対湿度情報を取得し、取得した温度情報および相対湿度情報を用いて露点温度情報を算出し、算出した露点温度情報と温度情報とを用いて、エレベータの結露防止運転の要否を判定する結露防止運転要否判定工程と、結露防止運転要否判定工程でエレベータの結露防止運転が必要であると結露防止運転要否判定装置が判定する場合に、エレベータが結露防止運転を行う結露防止運転工程とを備えている。
【発明の効果】
【０００８】
この発明に係るエレベータシステムによれば、エレベータと、外部からエレベータが設置されている地域における温度情報および相対湿度情報を取得し、取得した温度情報および相対湿度情報を用いて露点温度情報を算出し、算出した露点温度情報と温度情報とを用いて、エレベータの結露防止運転の要否を判定する結露防止運転要否判定装置とを備え、エレベータは、結露防止運転要否判定装置の判定結果に基づいて、結露防止運転を行うので、エレベータの温度が露点温度に近づいた場合に、結露防止運転要否判定装置は、エレベータの結露防止運転が必要であると判定し、エレベータが結露防止運転を行う。その結果、エレベータに結露が発生することを抑制することができる。
【０００９】
この発明に係るエレベータ結露防止方法によれば、結露防止運転要否判定装置が、外部からエレベータが設置されている地域における温度情報および相対湿度情報を取得し、取得した温度情報および相対湿度情報を用いて露点温度情報を算出し、算出した露点温度情報と温度情報とを用いて、エレベータの結露防止運転の要否を判定する結露防止運転要否判定工程と、結露防止運転要否判定工程でエレベータの結露防止運転が必要であると結露防止運転要否判定装置が判定する場合に、エレベータが結露防止運転を行う結露防止運転工程とを備えているので、エレベータの温度が露点温度に近づいた場合に、結露防止運転要否判定装置は、エレベータの結露防止運転が必要であると判定し、エレベータが結露防止運転を行う。その結果、エレベータに結露が発生することを抑制することができる。
【図面の簡単な説明】
【００１０】
【図１】この発明の実施の形態１に係るエレベータシステムを示す構成図である。
【図２】図１の結露防止運転制御システムの動作を示すフローチャートである。
【図３】図１のエレベータおよびエレベータ監視装置の動作を示すフローチャートである。
【発明を実施するための形態】
【００１１】
実施の形態１．
図１はこの発明の実施の形態１に係るエレベータシステムを示す構成図である。図において、エレベータシステムは、複数のエレベータ１と、それぞれのエレベータ１に１つずつ設けられ、エレベータ１を監視する複数のエレベータ監視装置２と、それぞれのエレベータ監視装置２との間で通信を行う結露防止運転要否判定装置３と、ビルデータベース（地域特定情報エレベータ特定情報記憶装置）４と、温度上昇指標データベース（結露防止運転時間情報上昇温度情報記憶装置）５とを備えている。
【００１２】
結露防止運転要否判定装置３は、天気情報サービスセンタ（外部）６から、それぞれのエレベータ１が設置されている地域における温度を示す温度情報および相対湿度を示す相対湿度情報を取得する。結露防止運転要否判定装置３による温度情報および相対湿度情報の取得は、予め設定されたタイミング、この例では、１０分ごとに行われる。
【００１３】
それぞれのエレベータ１は、かごを昇降させる巻上機１１と、巻上機１１の駆動を制御するエレベータ制御盤１２とを有している。巻上機１１およびエレベータ制御盤１２は、機械室（図示せず）に設けられている。エレベータ監視装置２は、エレベータ制御盤１２に接続されている。それぞれのエレベータ１は、通常運転と結露防止運転とを切り換えて行うようになっている。エレベータ１の結露防止運転は、巻上機１１が低速運転を行い、さらに、巻上機１１が巻上機ブレーキ（図示せず）によって制動されることによって行われる。巻上機１１の低速運転とは、通常運転よりも遅い速度での運転であり、この例では、手動速度（１５ｍ／ｍｉｍ）による運転である。巻上機１１が低速運転を行うことによって、巻上機１１のモータにかかる負荷量が通常運転の場合よりも増大するので、巻上機１１の発熱量が通常運転の場合よりも大きくなる。また、巻上機ブレーキによって巻上機１１が制動されることによって、巻上機１１の発熱量が通常運転の場合よりも大きくなる。したがって、エレベータ１が結露防止運転を行うことによって、巻上機１１の温度が上昇し、これにより、機械室の温度が上昇して、機械室に設置されている機器の温度が上昇する。言い換えれば、エレベータ１が結露防止運転を行うことによって、エレベータ１の温度が上昇する。
【００１４】
ビルデータベース４は、複数のエレベータ１のそれぞれが設置されている地域を特定する地域特定情報と、それぞれのエレベータ１を特定するエレベータ特定情報とを対応させて記憶している。
【００１５】
温度上昇指標データベース５は、エレベータ１が行う結露防止運転の時間である結露防止運転時間を示す結露防止運転時間情報と、結露防止運転時間だけエレベータ１が結露防止運転を行うことによる巻上機１１の上昇温度を示す上昇温度情報とを対応させて記憶している。
【００１６】
エレベータ１の温度の違いによって、結露防止運転時間とエレベータ１の上昇温度との関係が異なる。したがって、温度上昇指標データベース５は、複数の温度情報のそれぞれについて、結露防止運転時間情報と上昇温度情報とを対応して記憶している。
【００１７】
複数のエレベータ１のそれぞれは、機種、巻上機型およびかご重量の違いによって、結露防止運転時間とエレベータ１の上昇温度との関係が異なる。したがって、温度上昇指標データベース５は、複数のエレベータ１のそれぞれについて、結露防止運転時間情報と上昇温度情報とを対応して記憶している。
【００１８】
また、結露防止運転要否判定装置３は、取得した温度情報および相対湿度情報を用いて露点温度情報を算出する。また、結露防止運転要否判定装置３は、算出した露点温度情報と温度情報とを用いて、エレベータ１の結露防止運転の要否を判定する。
【００１９】
具体的には、結露防止運転要否判定装置３は、エレベータ１が設置されている地域における温度と露点温度との差が予め設定された値、この例では、３℃以下である場合に、エレベータ１の結露防止運転が必要であると判定し、エレベータ１が設置されている地域における温度と露点温度との差が予め設定された値、この例では、３℃よりも大きい場合に、エレベータ１の結露防止運転の必要がないと判定する。結露防止運転要否判定装置３によるエレベータ１の結露防止運転の要否の判定は、結露防止運転要否判定装置３が温度情報および相対湿度情報を取得するたびに行われる。
【００２０】
また、結露防止運転要否判定装置３は、エレベータ１の結露防止運転が必要であると判定する場合に、結露防止運転が必要であると判定されたエレベータ１が設置されている地域を特定する地域特定情報に対応するエレベータ特定情報をビルデータベース４から取得する。また、結露防止運転要否判定装置３は、ビルデータベース４からエレベータ特定情報を取得する場合に、エレベータ特定情報によって特定されるエレベータ１を監視するエレベータ監視装置２に対して、結露防止運転指令を送信する。
【００２１】
また、結露防止運転要否判定装置３は、エレベータ１の結露防止運転が必要であると判定する場合に、露点温度情報と温度情報とを用いて、必要なエレベータ１の上昇温度を示す必要上昇温度情報を算出する。また、結露防止運転要否判定装置３は、算出した必要上昇温度情報に対応する結露防止運転時間情報を温度上昇指標データベース５から取得する。また、結露防止運転要否判定装置３は、温度上昇指標データベース５から結露防止運転時間情報を取得する場合に、エレベータ特定情報によって特定されるエレベータ１を監視するエレベータ監視装置２に対して、結露防止運転時間情報を送信する。
【００２２】
また、結露防止運転要否判定装置３は、エレベータ１の結露防止運転が必要であると判定する場合であっても、現在から予め設定された時間だけ遡った間、この例では、過去１時間以内に、結露防止運転要否判定装置３が結露防止運転指令および結露防止運転時間情報を送信している場合には、さらなる結露防止運転指令および結露防止運転時間情報の送信を停止する。過剰な結露防止運転を防止するためである。
【００２３】
エレベータ監視装置２は、結露防止運転要否判定装置３から結露防止運転指令および結露防止運転時間情報を受信する場合であって、エレベータ１が待機状態である場合に、エレベータ監視装置２が監視するエレベータ１に結露防止運転時間情報が示す結露防止運転時間だけ結露防止運転を行わせる。また、エレベータ監視装置２は、結露防止運転が完了した場合に、結露防止運転要否判定装置３に対して、結露防止運転が完了した旨を示す結露防止運転完了通知を送信する。
【００２４】
また、エレベータ監視装置２は、結露防止運転要否判定装置３から結露防止運転指令および結露防止運転時間情報を受信する場合であって、エレベータ１が運転状態である場合に、エレベータ１の運転状態が予め設定された時間、この例では、３０分間を経過したか否かを判定する。エレベータ監視装置２は、エレベータ１の運転状態が３０分間を経過したとエレベータ監視装置２が判定する場合に、結露防止運転要否判定装置３に対して、結露防止運転が完了した旨を示す結露防止運転完了通知を送信する。
【００２５】
また、エレベータ１は、エレベータ１が結露防止運転を行っている時に、乗場呼びまたはかご呼びが登録された場合には、結露防止運転から通常運転に切り換わる。
【００２６】
結露防止運転要否判定装置３、ビルデータベース４および温度上昇指標データベース５から結露防止運転制御システム７が構成されている。
【００２７】
次に、結露防止運転制御システム７の動作について説明する。図２は図１の結露防止運転制御システム７の動作を示すフローチャートである。まず、結露防止運転要否判定装置３は、天気情報サービスセンタ６からそれぞれのエレベータ１が設置されている地域における温度情報および相対湿度情報を取得し、取得した温度情報および相対湿度情報を用いて露点温度情報を算出する（露点温度情報算出工程）（ステップＳ１０１）。
【００２８】
その後、結露防止運転要否判定装置３は、算出した露点温度情報と温度情報とを用いて、エレベータ１が設置されている地域における温度と露点温度との差が３℃以下であるか否か、つまり、エレベータ１の結露防止運転の要否を判定する（結露防止運転要否判定工程）（ステップＳ１０２）。ステップＳ１０２で、エレベータ１が設置されている地域における温度と露点温度との差が３℃よりも大きいと結露防止運転要否判定装置３が判定すると、エレベータ１が結露防止運転を行う必要がないので、そのまま、結露防止運転制御システム７の動作が終了する。
【００２９】
一方、ステップＳ１０２で、エレベータ１が設置されている地域における温度と露点温度との差が３℃以下であると結露防止運転要否判定装置３が判定すると、結露防止運転要否判定装置３は、結露防止運転が必要であると判定されたエレベータ１に対して、過去１時間以内に結露防止運転指令を送信したか否かを判定する（結露防止運転指令送信済判定工程）（ステップＳ１０３）。ステップＳ１０３で、過去１時間以内に結露防止運転指令を送信したと結露防止運転要否判定装置３が判定すると、結露防止運転が必要であると判定されたエレベータ１に対して結露防止運転指令を既に送信しているので、そのまま、結露防止運転制御システム７の動作が終了する。
【００３０】
一方、ステップＳ１０３で、過去１時間以内に結露防止運転指令を送信していないと結露防止運転要否判定装置３が判定すると、結露防止運転要否判定装置３は、結露防止運転が必要であると判定されたエレベータ１について、必要なエレベータ１の上昇温度を示す必要上昇温度情報を算出し、算出した必要上昇温度情報に対応する結露防止運転時間情報を温度上昇指標データベース５から取得する（結露防止運転時間情報取得工程）（ステップＳ１０４）。
【００３１】
その後、結露防止運転要否判定装置３は、結露防止運転が必要であると判定されたエレベータ１を監視するエレベータ監視装置２に対して、結露防止運転指令および結露防止運転時間情報を送信する（結露防止運転指令送信工程、結露防止運転時間情報送信工程）（ステップＳ１０５）。
【００３２】
その後、結露防止運転要否判定装置３は、結露防止運転指令を送信したエレベータ監視装置２から送信された結露防止運転完了通知を受信したか否かを判定する（結露防止運転完了判定工程）（ステップＳ１０６）。ステップＳ１０６で、結露防止運転指令を送信したエレベータ監視装置２から送信された結露防止運転完了通知をまだ受信していないと結露防止運転要否判定装置３が判定すると、まだ、結露防止運転が完了していないので、ステップＳ１０６を繰り返す。一方、ステップＳ１０６で、結露防止運転指令を送信したエレベータ監視装置２から送信された結露防止運転完了通知を受信したと結露防止運転要否判定装置３が判定すると、結露防止運転が完了しているので、結露防止運転制御システム７の動作が終了する。
【００３３】
次に、エレベータ１およびエレベータ監視装置２における結露防止運転を行う場合の動作について説明する。図３は図１のエレベータ１およびエレベータ監視装置２の動作を示すフローチャートである。まず、エレベータ１が停止中で、乗場呼びおよびかご呼びの何れも登録されていない状態、つまり、エレベータ１の待機状態が２分以上経過した否かについてエレベータ監視装置２が判定する（待機状態判定工程）（ステップＳ２０１）。
【００３４】
ステップＳ２０１で、待機状態が２分以上経過したとエレベータ監視装置２が判定すると、エレベータ１は、さらに１０秒間だけ待機した後、２０秒間だけ結露防止運転を行う（結露防止運転工程）（ステップＳ２０２）。
【００３５】
その後、エレベータ監視装置２は、エレベータ１が結露防止運転を行う時間が結露防止運転時間を経過したか否か、つまり、結露防止運転が完了したか否かを判定する（結露防止運転完了判定工程）（ステップＳ２０３）。ステップＳ２０３で、エレベータ１が結露防止運転を行う時間が結露防止運転時間を経過していないとエレベータ監視装置２が判定すると、まだ、結露防止運転が完了していないので、ステップＳ２０１に戻る。
【００３６】
一方、ステップＳ２０３で、エレベータ１が結露防止運転を行う時間が結露防止運転時間を経過したとエレベータ監視装置２が判定すると、エレベータ１は結露防止運転から通常運転に切り換わり（切換工程）（ステップＳ２０４）、エレベータ監視装置２は、結露防止運転要否判定装置３に対して結露防止運転完了通知を送信し、（結露防止運転完了情報送信工程）（ステップＳ２０５）、エレベータ１およびエレベータ監視装置２における結露防止運転の動作が終了する。
【００３７】
一方、ステップＳ２０１で、待機状態が２分以上経過していないとエレベータ監視装置２が判定すると、エレベータ監視装置２は、運転状態が３０分以上経過したか否か、つまり、エレベータ１の結露防止運転の要否を判定する（結露防止運転要否判定工程）（ステップＳ２０６）。ステップＳ２０６で、運転状態が３０分以上経過していないとエレベータ監視装置２が判定すると、ステップＳ２０１に戻る。一方、ステップＳ２０６で、運転状態が３０分以上経過したとエレベータ監視装置２が判定すると、エレベータ１が通常運転によって発熱し、エレベータ１の結露防止運転が必要ではなくなるので、ステップＳ２０４に進む。
【００３８】
以上説明したように、この発明の実施の形態１に係るエレベータシステムによれば、エレベータ１と、天気情報サービスセンタ６からエレベータ１が設置されている地域における温度情報および相対湿度情報を取得し、取得した温度情報および相対湿度情報を用いて露点温度情報を算出し、算出した露点温度情報と温度情報とを用いて、エレベータ１の結露防止運転の要否を判定する結露防止運転要否判定装置３とを備え、エレベータ１は、結露防止運転要否判定装置３の判定結果に基づいて、結露防止運転を行うので、エレベータ１の温度が露点温度に近づいた場合に、結露防止運転要否判定装置３は、エレベータ１の結露防止運転が必要であると判定し、エレベータ１が結露防止運転を行う。その結果、エレベータ１に結露が発生することを抑制することができる。
【００３９】
また、このエレベータシステムは、複数のエレベータ１のそれぞれが設置されている地域を特定する地域特定情報とそれぞれのエレベータ１を特定するエレベータ特定情報とを対応させて記憶するビルデータベース４を備え、結露防止運転要否判定装置３は、地域特定情報によって特定される地域ごとに、温度情報および相対湿度情報を取得してエレベータ１の結露防止運転の要否を判定し、それぞれのエレベータ１は、そのエレベータ１を特定するエレベータ特定情報に対応する地域特定情報によって特定される地域についての結露防止運転要否判定装置３の判定結果に基づいて、結露防止運転を行うので、複数のエレベータ１について、それぞれのエレベータ１が設置されている地域ごとに、結露防止運転を行わせることができる。
【００４０】
また、このエレベータシステムは、結露防止運転時間を示す結露防止運転時間情報と結露防止運転時間だけエレベータ１が結露防止運転を行うことによるエレベータ１の上昇温度を示す上昇温度情報とを対応させて記憶する温度上昇指標データベース５を備え、結露防止運転要否判定装置３は、エレベータ１の結露防止運転が必要であると判定する場合に、露点温度情報と温度情報とを用いて、必要なエレベータ１の上昇温度を示す必要上昇温度情報を算出し、エレベータ１は、結露防止運転要否判定装置３によって算出された必要上昇温度情報に対応する結露防止運転時間情報が示す結露防止運転時間だけ結露防止運転を行うので、エレベータ１は、必要な時間だけ結露防止運転を行うことができる。
【００４１】
また、温度上昇指標データベース５は、複数の温度情報のそれぞれについて、結露防止運転時間情報と上昇温度情報とを対応して記憶するので、エレベータ１が設置されている地域の温度に対応して、エレベータ１は、必要な時間だけ結露防止運転を行うことができる。
【００４２】
エレベータ１の結露防止運転は、巻上機１１の低速運転によって行われるので、新たな機器をエレベータ１に追加することなく、巻上機１１に結露が発生することを抑制することができる。
【００４３】
また、この発明の実施の形態１に係るエレベータ結露防止方法によれば、結露防止運転要否判定装置３が、天気情報サービスセンタ６からエレベータ１が設置されている地域における温度情報および相対湿度情報を取得し、取得した温度情報および相対湿度情報を用いて露点温度情報を算出し、算出した露点温度情報と温度情報とを用いて、エレベータ１の結露防止運転の要否を判定する結露防止運転要否判定工程と、結露防止運転要否判定工程でエレベータ１の結露防止運転が必要であると結露防止運転要否判定装置３が判定する場合に、エレベータ１が結露防止運転を行う結露防止運転工程とを備えているので、エレベータ１の温度が露点温度に近づいた場合に、結露防止運転要否判定装置３は、エレベータ１の結露防止運転が必要であると判定し、エレベータ１が結露防止運転を行う。その結果、エレベータ１に結露が発生することを抑制することができる。
【００４４】
なお、上記実施の形態１では、温度と露点温度との差が予め設定された値以下である場合にエレベータ１の結露防止運転が必要であると判定し、温度と露点温度との差が予め設定された値よりも大きい場合にエレベータ１の結露防止運転の必要がないと判定する結露防止運転要否判定装置３の構成について説明したが、これに限らず、例えば、現在の温度と露点湿度との差と、所定時間前の温度と露点湿度との差との間の変化率を用いて、エレベータ１の結露防止運転の要否を判定する結露防止運転要否判定装置３であってもよい。具体的には、現在の温度と露点湿度との差と、所定時間前の温度と露点湿度との差との間の変化率が予め設定された値よりも小さい場合には、温度と露点温度との差に変化がないので、エレベータ１の結露防止運転の必要がないと結露防止運転要否判定装置３が判定し、所定時間前の温度と露点湿度との差との間の変化率が予め設定された値以上である場合には、温度と露点温度との差の変化が大きく、温度が露点温度に近づいているので、エレベータ１の結露防止運転が必要であると結露防止運転要否判定装置３が判定する。
【符号の説明】
【００４５】
１  エレベータ、２  エレベータ監視装置、３  結露防止運転要否判定装置、４  ビルデータベース（地域特定情報エレベータ特定情報記憶装置）、５  温度上昇指標データベース（結露防止運転時間情報上昇温度情報記憶装置）、６  天気情報サービスセンタ（外部）、７  結露防止運転制御システム、１１  巻上機、１２  エレベータ制御盤。
【図１】
2014227235.tif 000003
【図２】
2014227235.tif 000004
【図３】
2014227235.tif 000005